(57)【要約】      （修正有）【課題】車両と携帯装置との間に重複して照合・認証を行うことができる照合認証方法を提供する。【解決手段】電源スイッチ９１が導通状態にされ、スイッチ素子８０を操作して無線接続モードを選択し、車両１にユーザー選択画面を表示させる。ユーザーによってユーザー選択画面においてニューユーザーオプションを選択し、確認素子８１を操作すると、車両１に車両識別番号を表示させると共に該車両識別番号を外部にプッシュさせる。ＡＰＰ３２１を実行して車両識別番号を探し、携帯装置３に車両識別番号を表示させ、プロセスモジュール２１１によって車両１と携帯装置３とに照合番号を表示させる。車両１と携帯装置３とに照合処理を操作実行し、プロセスモジュール２１１によって車両１と携帯装置３とが照合認証される。【選択図】図３
2018144794.tif 000002
【特許請求の範囲】
【請求項１】
車両と携帯装置に適用される照合認証方法であって、前記車両は少なくともインストルメント装置と電源モジュールと確認素子とを有し、前記電源モジュールは少なくとも電源スイッチを有し、前記インストルメント装置は少なくともインストルメントホストマシンと前記インストルメントホストマシンに電気的に接続されたインストルメントホストマシンディスプレイとを有し、前記インストルメントホストマシンは少なくともプロセスモジュールと前記プロセスモジュールに電気的に接続された無線接続モジュールを有し、前記照合認証方法は、
ユーザーによって前記電源スイッチが遮断状態から導通状態に切り替えられるように操作され、続いて前記確認素子が操作され、確認素子操作信号が生成・送信され、前記プロセスモジュールによって前記確認素子操作信号を受信すると、前記インストルメントホストマシンディスプレイに前記車両の車両識別番号を表示させ、前記無線接続モジュールを介して前記車両識別番号を外部にプッシュさせるステップ（ａ）と、
前記携帯装置によってアプリケーションソフトウェアを実行して前記車両識別番号を探し、前記車両識別番号を表示させ、前記ユーザーは前記アプリケーションソフトウェアを介して後続の照合を行うために前記車両識別番号を選ぶと、前記プロセスモジュールによって前記インストルメントホストマシンディスプレイと前記携帯装置とに照合番号を表示させるステップ（ｂ）と、
前記ユーザーによって予め定められた時間で前記携帯装置と前記インストルメントホストマシンとに照合処理が行われ、前記プロセスモジュールによって前記インストルメントホストマシンと前記携帯装置とが照合認証され、前記車両と前記携帯装置の照合認証が終了するステップ（ｃ）と、を含むことを特徴とする照合認証方法。
【請求項２】
前記車両は更にスイッチ素子を有し、
前記ステップ（ａ）では、
前記ユーザーによって前記スイッチ素子が無線接続モードに切り替えられるように操作され、続いて前記確認素子が予め定められた時間以上長押すように操作された後、前記プロセスモジュールによって前記インストルメントホストマシンディスプレイにユーザー選択画面を表示させるステップ（ａ−１）と、
前記ユーザーは前記ユーザー選択画面にてニューユーザーオプションを選択し、前記確認素子を操作すると、確認素子操作信号が生成・送信され、前記プロセスモジュールによって前記確認素子操作信号を受信すると、前記インストルメントホストマシンディスプレイに前記車両の車両識別番号を表示させると共に、前記無線接続モジュールを介して前記車両識別番号を外部にプッシュさせるステップ（ａ−２）と、を含むことを特徴とする請求項１に記載の照合認証方法。
【請求項３】
前記ステップ（ｃ）では、前記照合処理を行うとは、前記ユーザーは前記車両にて前記確認素子を前記予め定められた時間だけ操作することによって前記インストルメントホストマシンに前記照合番号を確認させると共に、前記携帯装置にて照合インターフェースをクリックして前記照合番号を確認し、前記プロセスモジュールによって前記携帯装置と前記インストルメントホストマシンとが照合認証され、前記携帯装置と前記インストルメントホストマシンとの照合認証が終了する、ことを特徴とする請求項１に記載の照合認証方法。
【請求項４】
前記インストルメントホストマシンは更に前記プロセスモジュールに電気的に接続されたメモリモジュールを有し、
前記ステップ（ｃ）では、前記プロセスモジュールによって前記携帯装置の無線識別番号を前記メモリモジュールに記憶し、前記携帯装置と前記インストルメントホストマシンとが照合認証され、
前記照合認証方法では前記ステップ（ｃ）の後で、
前記電源スイッチが再び前記遮断状態から前記導通状態に切り替えられ、前記スイッチ素子が前記無線接続モードに切り替えられるように操作され、前記確認素子が予め定められた時間以上長押すように操作された後、前記プロセスモジュールによって前記インストルメントホストマシンディスプレイに前記ユーザー選択画面を表示させ、前記ユーザー選択画面にて前記照合認証が終了した前記携帯装置の無線識別番号を表示させるステップ（ｄ）と、
前記ユーザー選択画面に表示された前記照合認証が終了した前記携帯装置の無線識別番号が選択されると共に前記確認素子が操作された後、前記プロセスモジュールによって前記無線識別番号に属する前記携帯装置が無線接続を介して前記インストルメントホストマシンの機能を利用可能にされるステップ（ｅ）と、を更に含むことを特徴とする請求項２に記載の照合認証方法。
【請求項５】
前記車両は、前記確認素子と隣接して設けられた増分素子と減分素子とを更に有し、
前記照合認証方法は前記ステップ（ｃ）の後で更にデータ削除処理を有し、
前記データ削除処理では、
前記電源スイッチが前記遮断状態にされた場合、前記増分素子と前記減分素子とのいずれか１つ及び前記確認素子を操作し、前記電源スイッチが前記遮断状態から前記導通状態に切り替えられるように操作され、前記インストルメントホストマシンディスプレイに照合認証データを削除するかどうかを表示させ、前記確認素子を操作して前記終了した照合認証データを削除する、ことを更に含むことを特徴とする請求項１に記載の照合認証方法。
【請求項６】
前記インストルメントホストマシンは前記プロセスモジュールに電気的に接続されたメモリモジュールを更に有し、
前記メモリモジュールに少なくとも１つの照合認証が終了された前記携帯装置の無線識別番号を記憶し、
前記電源スイッチは前記導通状態に切り替えられ、前記車両は無線接続モードに切り替えられた場合、前記プロセスモジュールによって、前記携帯装置の照合認証が終了する順番に基づいて無線接続を自動的に実行し、無線接続が成功した無線識別番号に属する携帯装置が無線接続を介して前記インストルメントホストマシンの機能を利用可能にされる、ことを更に含むことを特徴とする請求項１に記載の照合認証方法。
【請求項７】
前記ステップ（ｃ）の後ではデータ削除処理を更に有し、
前記データ削除処理では、前記携帯装置と前記インストルメントホストマシンとが無線接続された場合、前記携帯装置によって前記アプリケーションソフトウェアの工場出荷設定値リセットインターフェースをクリックし、前記確認素子を操作して前記終了した照合認証データを削除する、ことを特徴とする請求項１に記載の照合認証方法。
【請求項８】
前記無線識別番号は、Ｗｉ−Ｆｉ、近距離通信、ブルートゥース（登録商標）技術に基づく無線識別番号である、ことを特徴とする請求項４に記載の照合認証方法。
【請求項９】
車両と携帯装置に適用される照合認証システムであって、
前記車両に設けられ、遮断状態と導通状態とで切り替えられるように操作される電源スイッチと、
前記車両に設けられた、確認素子と、
前記車両に設けられた、インストルメントホストマシンディスプレイと、
前記車両に設けられた、インストルメントホストマシンとを備え、
前記インストルメントホストマシンは、
無線接続モジュールと、
前記電源スイッチ、前記確認素子、及び前記インストルメントホストマシンディスプレイに電気的に接続された、プロセスモジュールとを有し、
前記プロセスモジュールは、
ユーザーによって前記電源スイッチが遮断状態から導通状態に切り替えられるように操作され、続いて前記確認素子が操作され、確認素子操作信号が生成・送信され、前記プロセスモジュールによって前記確認素子操作信号を受信すると、前記インストルメントホストマシンディスプレイに前記車両の車両識別番号を表示させ、前記無線接続モジュールを介して前記車両識別番号を外部にプッシュさせるステップ（ａ）と、
前記携帯装置によってアプリケーションソフトウェアを実行して前記車両識別番号を探し、前記車両識別番号を表示させ、前記ユーザーは前記アプリケーションソフトウェアを介して後続の照合を行うために前記車両識別番号を選ぶと、前記プロセスモジュールによって前記インストルメントホストマシンディスプレイと前記携帯装置とに照合番号を表示させるステップ（ｂ）と、
前記ユーザーによって予め定められた時間で前記携帯装置と前記インストルメントホストマシンとに照合処理が行われ、前記プロセスモジュールによって前記インストルメントホストマシンと前記携帯装置とが照合認証され、前記車両と前記携帯装置の照合認証が終了するステップ（ｃ）と、
を実行するように構成されている、ことを特徴とする照合認証システム。
【請求項１０】
前記車両に設けられ、前記プロセスモジュールに電気的に接続されたスイッチ素子を更に有し、
前記ステップ（ａ）では、
前記ユーザーによって前記スイッチ素子が無線接続モードに切り替えられるように操作され、続いて前記確認素子が予め定められた時間以上長押すように操作された後、前記プロセスモジュールによって前記インストルメントホストマシンディスプレイにユーザー選択画面を表示させるステップ（ａ−１）と、
前記ユーザーは前記ユーザー選択画面にてニューユーザーオプションを選択し、前記確認素子を操作すると、確認素子操作信号が生成・送信され、前記プロセスモジュールによって前記確認素子操作信号を受信すると、前記インストルメントホストマシンディスプレイに前記車両の車両識別番号を表示させると共に、前記無線接続モジュールを介して前記車両識別番号を外部にプッシュさせるステップ（ａ−２）と、を更に含むことを特徴とする請求項９に記載の照合認証システム。
【請求項１１】
前記ステップ（ｃ）では、前記照合処理を行うとは、前記ユーザーは前記車両にて前記確認素子を前記予め定められた時間だけ操作することによって前記インストルメントホストマシンに前記照合番号を確認させると共に、前記携帯装置にて照合インターフェースをクリックして前記照合番号を確認し、前記プロセスモジュールによって前記携帯装置と前記インストルメントホストマシンとが照合認証され、前記携帯装置と前記インストルメントホストマシンとの照合認証が終了する、ことを特徴とする請求項９に記載の照合認証システム。
【請求項１２】
前記確認素子に隣接して設けられ、前記プロセスモジュールに電気的に接続された増分素子と減分素子とを更に有し、
前記増分素子と前記減分素子とは前記車両の運転席エリアに一体的に設けられている、ことを特徴とする請求項９に記載の照合認証システム。
【請求項１３】
前記無線接続モジュールは、ブルートゥース（登録商標）モジュール、Ｗｉ−Ｆｉモジュール、又は近距離通信モジュールであり、
前記電源スイッチは、前記車両のメインスイッチであり、
前記インストルメントホストマシンディスプレイは液晶ディスプレイである、ことを特徴とする請求項９に記載の照合認証システム。
【請求項１４】
前記携帯装置は、スマートフォン、ウェアラブル機器又はタブレットコンピューターである、を特徴とする請求項９に記載の照合認証システム。
【請求項１５】
前記確認素子と前記スイッチ素子は、前記車両の運転席エリアに設けられている、ことを特徴とする請求項１０に記載の照合認証システム。
【請求項１６】
インストルメントパネルディスプレイと、前記インストルメントパネルディスプレイ及び前記スイッチ素子に電気的に接続されたインストルメントパネルコントローラーとを更に有し、
前記スイッチ素子が前記無線接続モード又はインストルメントパネル表示モードに切り替えられるように操作され、
前記無線接続モードでは、前記インストルメントホストマシンによって前記終了した照合認証された前記携帯装置が無線接続を介して前記インストルメントホストマシンの機能を利用可能にされ、
前記インストルメントパネル表示モードでは、前記ユーザーによって前記インストルメントパネルディスプレイに表示されるインストルメントパネル情報を選択するように操作される、ことを特徴とする請求項１０に記載の照合認証システム。
【発明の詳細な説明】
【技術分野】
【０００１】
本発明は、照合認証方法及び照合認証システムに関し、特に、車両及び携帯装置の間に用いられる照合認証方法及び照合認証システムに関する。
【背景技術】
【０００２】
従来より一部の車両のインストルメント装置に配置されたインストルメントホストマシンには、無線接続機能を果たすブルートゥース（登録商標）（Ｂｌｕｅｔｏｏｔｈ（登録商標））が内蔵されているため、ユーザーは、車両のブルートゥース（登録商標）と携帯装置のブルートゥース（登録商標）とが無線で接続されることによって、ハンズフリーで携帯装置の電話や音楽を車両のスピーカーで聴いたりすることができる。車両及び携帯装置の間で携帯装置から車両へ照合・認証する方法はすでに用いられている（例えば特許文献１参照）。
【先行技術文献】
【特許文献】
【０００３】
【特許文献１】台湾特許出願公開第２０１６２７８９８号明細書
【発明の概要】
【発明が解決しようとする課題】
【０００４】
特許文献１では、携帯装置を用いてバーコードがスキャンされて得られた認識番号を車両に無線で送信し、車両にて車両に記録された車両識別番号と照合して携帯装置の認証を行うことによって車両と認証済みの携帯装置とが無線接続をすることができる技術が記載されている。しかし、認証済みの携帯装置はユーザーのものとは限らないので、車両のユーザーでない者の携帯装置が車両と無線接続された場合、車両のユーザーが自分の車両と無線接続できなくなる問題点がある。
【０００５】
本発明は、上記問題点に鑑みてなされたもので、車両と携帯装置との間で重複して照合・認証を行うことができる照合認証方法及びそのシステムを提供することを目的とする。
【課題を解決するための手段】
【０００６】
上記目的を達成するために、請求項１に係る発明は、車両と携帯装置に適用される照合認証方法であって、前記車両は少なくともインストルメント装置と電源モジュールと確認素子とを有し、前記電源モジュールは少なくとも電源スイッチを有し、前記インストルメント装置は少なくともインストルメントホストマシンと前記インストルメントホストマシンに電気的に接続されたインストルメントホストマシンディスプレイとを有し、前記インストルメントホストマシンは少なくともプロセスモジュールと前記プロセスモジュールに電気的に接続された無線接続モジュールを有し、前記照合認証方法は、ユーザーによって前記電源スイッチが遮断状態から導通状態に切り替えられるように操作され、続いて前記確認素子が操作され、確認素子操作信号が生成・送信され、前記プロセスモジュールによって前記確認素子操作信号を受信すると、前記インストルメントホストマシンディスプレイに前記車両の車両識別番号を表示させ、前記無線接続モジュールを介して前記車両識別番号を外部にプッシュさせるステップ（ａ）と、前記携帯装置によってアプリケーションソフトウェアを実行して前記車両識別番号を探し、前記車両識別番号を表示させ、前記ユーザーは前記アプリケーションソフトウェアを介して後続の照合を行うために前記車両識別番号を選ぶと、前記プロセスモジュールによって前記インストルメントホストマシンディスプレイと前記携帯装置とに照合番号を表示させるステップ（ｂ）と、前記ユーザーによって予め定められた時間で前記携帯装置と前記インストルメントホストマシンとに照合処理が行われ、前記プロセスモジュールによって前記インストルメントホストマシンと前記携帯装置とが照合認証され、前記車両と前記携帯装置の照合認証が終了するステップ（ｃ）と、を含むことを特徴とする照合認証方法を提供する。
【０００７】
請求項２に係る発明は、請求項１に記載の照合認証方法において、前記車両は更にスイッチ素子を有し、前記ステップ（ａ）では、前記ユーザーによって前記スイッチ素子が無線接続モードに切り替えられるように操作され、続いて前記確認素子が予め定められた時間以上長押すように操作された後、前記プロセスモジュールによって前記インストルメントホストマシンディスプレイにユーザー選択画面を表示させるステップ（ａ−１）と、前記ユーザーは前記ユーザー選択画面にてニューユーザーオプションを選択し、前記確認素子を操作すると、確認素子操作信号が生成・送信され、前記プロセスモジュールによって前記確認素子操作信号を受信すると、前記インストルメントホストマシンディスプレイに前記車両の車両識別番号を表示させると共に、前記無線接続モジュールを介して前記車両識別番号を外部にプッシュさせるステップ（ａ−２）と、を含むことを特徴とする。
【０００８】
請求項３に係る発明は、請求項１に記載の照合認証方法において、前記ステップ（ｃ）では、前記照合処理を行うとは、前記ユーザーは前記車両にて前記確認素子を前記予め定められた時間だけ操作することによって前記インストルメントホストマシンに前記照合番号を確認させると共に、前記携帯装置にて照合インターフェースをクリックして前記照合番号を確認し、前記プロセスモジュールによって前記携帯装置と前記インストルメントホストマシンとが照合認証され、前記携帯装置（３）と前記インストルメントホストマシンとの照合認証が終了する、ことを特徴とする。
【０００９】
請求項４に係る発明は、請求項２に記載の照合認証方法において、前記インストルメントホストマシンは更に前記プロセスモジュールに電気的に接続されたメモリモジュールを有し、前記ステップ（ｃ）では、前記プロセスモジュールによって前記携帯装置の無線識別番号を前記メモリモジュールに記憶し、前記携帯装置と前記インストルメントホストマシンとが照合認証され、前記照合認証方法では前記ステップ（ｃ）の後で、前記電源スイッチが再び前記遮断状態から前記導通状態に切り替えられ、前記スイッチ素子が前記無線接続モードに切り替えられるように操作され、前記確認素子が予め定められた時間以上長押すように操作された後、前記プロセスモジュールによって前記インストルメントホストマシンディスプレイに前記ユーザー選択画面を表示させ、前記ユーザー選択画面にて前記照合認証が終了した前記携帯装置（３）の無線識別番号を表示させるステップ（ｄ）と、前記ユーザー選択画面に表示された前記照合認証が終了した前記携帯装置の無線識別番号が選択されると共に前記確認素子が操作された後、前記プロセスモジュールによって前記無線識別番号に属する前記携帯装置が無線接続を介して前記インストルメントホストマシンの機能を利用可能にされるステップ（ｅ）と、を更に含むことを特徴とする。
【００１０】
請求項５に係る発明は、請求項１に記載の照合認証方法において、前記車両は、前記確認素子と隣接して設けられた増分素子と減分素子とを更に有し、前記照合認証方法は前記ステップ（ｃ）の後で更にデータ削除処理を有し、前記データ削除処理では、前記電源スイッチが前記遮断状態にされた場合、前記増分素子と前記減分素子とのいずれか１つ及び前記確認素子を操作し、前記電源スイッチが前記遮断状態から前記導通状態に切り替えられるように操作され、前記インストルメントホストマシンディスプレイに照合認証データを削除するかどうかを表示させ、前記確認素子を操作して前記終了した照合認証データを削除する、ことを更に含むことを特徴とする。
【００１１】
請求項６に係る発明は、請求項１に記載の照合認証方法において、前記インストルメントホストマシンは前記プロセスモジュールに電気的に接続されたメモリモジュールを更に有し、前記メモリモジュールに少なくとも１つの照合認証が終了された前記携帯装置の無線識別番号を記憶し、前記電源スイッチは前記導通状態に切り替えられ、前記車両は無線接続モードに切り替えられた場合、前記プロセスモジュールによって、前記携帯装置の照合認証が終了する順番に基づいて無線接続を自動的に実行し、無線接続が成功した無線識別番号に属する携帯装置が無線接続を介して前記インストルメントホストマシンの機能を利用可能にされる、ことを更に含むことを特徴とする。
【００１２】
請求項７に係る発明は、請求項１に記載の照合認証方法において、前記ステップ（ｃ）の後ではデータ削除処理を更に有し、前記データ削除処理では、前記携帯装置と前記インストルメントホストマシンとが無線接続された場合、前記携帯装置によって前記アプリケーションソフトウェアの工場出荷設定値リセットインターフェースをクリックし、前記確認素子を操作して前記終了した照合認証データを削除する、ことを特徴とする。
【００１３】
請求項８に係る発明は、請求項４に記載の照合認証方法において、前記無線識別番号は、Ｗｉ−Ｆｉ、近距離通信、ブルートゥース（登録商標）技術に基づく無線識別番号である、ことを特徴とする。
【００１４】
また、本発明は、請求項９に係る発明は、車両と携帯装置に適用される照合認証システムであって、前記車両に設けられ、遮断状態と導通状態とで切り替えられるように操作される電源スイッチと、前記車両に設けられた、確認素子と、前記車両に設けられた、インストルメントホストマシンディスプレイと、前記車両に設けられた、インストルメントホストマシンとを備え、前記インストルメントホストマシンは、無線接続モジュールと、前記電源スイッチ、前記確認素子、及び前記インストルメントホストマシンディスプレイに電気的に接続された、プロセスモジュールとを有し、前記プロセスモジュールは、ユーザーによって前記電源スイッチが遮断状態から導通状態に切り替えられるように操作され、続いて前記確認素子が操作され、確認素子操作信号が生成・送信され、前記プロセスモジュールによって前記確認素子操作信号を受信すると、前記インストルメントホストマシンディスプレイに前記車両の車両識別番号を表示させ、前記無線接続モジュールを介して前記車両識別番号を外部にプッシュさせるステップ（ａ）と、前記携帯装置によってアプリケーションソフトウェアを実行して前記車両識別番号を探し、前記車両識別番号を表示させ、前記ユーザーは前記アプリケーションソフトウェアを介して後続の照合を行うために前記車両識別番号を選ぶと、前記プロセスモジュールによって前記インストルメントホストマシンディスプレイと前記携帯装置とに照合番号を表示させるステップ（ｂ）と、前記ユーザーによって予め定められた時間で前記携帯装置と前記インストルメントホストマシンとに照合処理が行われ、前記プロセスモジュールによって前記インストルメントホストマシンと前記携帯装置とが照合認証され、前記車両と前記携帯装置の照合認証が終了するステップ（ｃ）と、を実行するように構成されている、ことを特徴とする照合認証システムも提供する。
【００１５】
請求項１０に係る発明は、請求項９に記載の照合認証システムにおいて、前記車両に設けられ、前記プロセスモジュールに電気的に接続されたスイッチ素子を更に有し、前記ステップ（ａ）では、前記ユーザーによって前記スイッチ素子が無線接続モードに切り替えられるように操作され、続いて前記確認素子が予め定められた時間以上長押すように操作された後、前記プロセスモジュールによって前記インストルメントホストマシンディスプレイにユーザー選択画面を表示させるステップ（ａ−１）と、前記ユーザーは前記ユーザー選択画面にてニューユーザーオプションを選択し、前記確認素子を操作すると、確認素子操作信号が生成・送信され、前記プロセスモジュールによって前記確認素子操作信号を受信すると、前記インストルメントホストマシンディスプレイに前記車両の車両識別番号を表示させると共に、前記無線接続モジュールを介して前記車両識別番号を外部にプッシュさせるステップ（ａ−２）と、を更に含むことを特徴とする。
【００１６】
請求項１１に係る発明は、請求項９に記載の照合認証システムにおいて、前記ステップ（ｃ）では、前記照合処理を行うとは、前記ユーザーは前記車両にて前記確認素子を前記予め定められた時間だけ操作することによって前記インストルメントホストマシンに前記照合番号を確認させると共に、前記携帯装置にて照合インターフェースをクリックして前記照合番号を確認し、前記プロセスモジュールによって前記携帯装置と前記インストルメントホストマシンとが照合認証され、前記携帯装置と前記インストルメントホストマシンとの照合認証が終了する、ことを特徴とする。
【００１７】
請求項１２に係る発明は、請求項９に記載の照合認証システムにおいて、前記確認素子に隣接して設けられ、前記プロセスモジュールに電気的に接続された増分素子と減分素子とを更に有し、前記増分素子と前記減分素子とは前記車両の運転席エリアに一体的に設けられている、ことを特徴とする。
【００１８】
請求項１３に係る発明は、請求項９に記載の照合認証システムにおいて、前記無線接続モジュールは、ブルートゥース（登録商標）モジュール、Ｗｉ−Ｆｉモジュール、又は近距離通信モジュールであり、前記電源スイッチは、前記車両のメインスイッチであり、前記インストルメントホストマシンディスプレイは液晶ディスプレイである、ことを特徴とする。
【００１９】
請求項１４に係る発明は、請求項９に記載の照合認証システムにおいて、前記携帯装置は、スマートフォン、ウェアラブル機器又はタブレットコンピューターである、を特徴とする。
【００２０】
請求項１５に係る発明は、請求項１０に記載の照合認証システムにおいて、前記確認素子と前記スイッチ素子は、前記車両の運転席エリアに設けられている、ことを特徴とする。
【００２１】
請求項１６に係る発明は、請求項１０に記載の照合認証システムにおいて、インストルメントパネルディスプレイと、前記インストルメントパネルディスプレイ及び前記スイッチ素子に電気的に接続されたインストルメントパネルコントローラーとを更に有し、前記スイッチ素子が前記無線接続モード又はインストルメントパネル表示モードに切り替えられるように操作され、前記無線接続モードでは、前記インストルメントホストマシンによって前記終了した照合認証された前記携帯装置が無線接続を介して前記インストルメントホストマシンの機能を利用可能にされ、前記インストルメントパネル表示モードでは、前記ユーザーによって前記インストルメントパネルディスプレイに表示されるインストルメントパネル情報を選択するように操作される、ことを特徴とする。
【発明の効果】
【００２２】
請求項１に係る発明によれば、車両の電源スイッチが導通状態にされ、且つ確認素子が操作された場合だけ、照合認証を行うことを許可することができるので、車両の所有者でないユーザーによる照合認証を行うことを避けることができる。また、車両と携帯装置との照合認証が終了した時、携帯装置の所有者が無線接続を介してインストルメントホストマシンのインテリジェント機能を作動させることができる。
【００２３】
請求項２に係る発明によれば、スイッチ素子と確認素子の操作を経て重複して確認することによって照合認証を行うことができるので、ユーザーの操作ミスを減らすことができる。
【００２４】
請求項３に係る発明によれば、予め定められた時間内に確認素子を操作することを以って照合番号を確認すると共に、携帯装置が照合インターフェースをクリックして照合番号を確認することによって、照合番号を重複して確認することができるので、車両の所有者でないユーザーによる照合認証を行うことを避けることができる。
【００２５】
請求項４に係る発明によれば、電源スイッチが遮断状態から導通状態に切り替えられ、車両の近くで照合認証が終了した１つ以上の携帯装置がある場合、ユーザーによってユーザー選択画面にて照合認証が終了した無線識別番号をクリックして選択し、確認素子を操作すると、ユーザーの携帯装置だけが無線接続を介してインストルメントホストマシンのインテリジェント機能を利用することができる。
【００２６】
請求項５に係る発明によれば、例えば車両が売却された場合、データ削除処理を経て元のユーザーによる照合認証データを該車両から削除し、ニューユーザーによって新たに照合・認証することができる。
【００２７】
請求項６に係る発明によれば、車両の電源スイッチが遮断状態から導通状態に切り替えられ、車両の近くで照合認証が終了した１つ以上の携帯装置がある場合、インストルメントホストマシンは携帯装置の照合認証が終了する順番に基づいて無線接続を自動的に実行し、無線接続が成功した無線識別番号に属する携帯装置が無線接続を介してインストルメントホストマシンのインテリジェント機能を利用することができる。
【００２８】
請求項７に係る発明によれば、ユーザーは携帯装置のアプリケーションソフトウェア（ＡＰＰ）を用いて照合認証が終了したデータを全て削除することもできる。
【００２９】
請求項９に係る発明によれば、電源スイッチが導通状態にされ、確認素子が操作された時だけ照合認証を行うことができるので、車両の所有者でないユーザーによる照合認証を行うことを避けることができる。また、車両と携帯装置との照合認証が終了した時、携帯装置の所有者が無線接続を介してインストルメントホストマシンのインテリジェント機能を作動させることができる。
【００３０】
請求項１０に係る発明によれば、スイッチ素子と確認素子の操作を経て重複して確認することによって照合認証を行うことができるので、ユーザーの操作ミスを避けることができる。
【００３１】
請求項１１に係る発明によれば、予め定められた時間内で確認素子を操作することを以って照合番号を確認すると共に、携帯装置が照合インターフェースをクリックして照合番号を確認することによって、照合番号を重複して確認することができるので、車両の所有者でないユーザーによる照合認証を行うことを避けることができる。
【００３２】
請求項１２に係る発明によれば、増分素子と減分素子とは車両の運転席エリアに一体的に設けられていることによって、構成部品を減らすことができ、また、車両の運転席エリア、例えばハンドルに設けられていると、照合認証する時の操作の利便性の向上を図ることができる。
【００３３】
請求項１５に係る発明によれば、確認素子とスイッチ素子とは車両の運転席エリア、例えばハンドルに設けられていることによって、照合認証する時の操作の利便性の向上を図ることができる。
【００３４】
本発明の他の特徴および利点は、添付の図面を参照する以下の実施形態の詳細な説明において明白になるであろう。
【図面の簡単な説明】
【００３５】
【図１】本発明の実施例に適用される車両の一例を示す斜視図である。
【図２】図１の車両における電源スイッチの一例の導通状態及び遮断状態を示す図である
【図３】本発明に係る照合認証システムの一例の構成及び同システムが適用される携帯装置の一例の構成をそれぞれ示すブロック図である。
【図４】電源スイッチの他例を示す図である。
【図５】車両におけるインストルメント装置の拡大平面図である。
【図６】図５の一部を拡大して示す図である。
【図７】図６を別の角度から見た図である。
【図８】本実施例に係る照合認証システムの一部を示す回路図である。
【図９】本発明に係る照合認証方法における照合処理を示すフローチャートである。
【図１０】本発明に係る照合認証方法における無線接続処理を示すフローチャートである。
【図１１】インストルメントホストマシンディスプレイに表示されたユーザー選択画面の一例を示す。
【図１２−１】インストルメントホストマシンディスプレイの表示の一例を示す図である。
【図１２−２】携帯装置の表示の一例を示す図である。
【図１３】インストルメントホストマシンディスプレイと携帯装置において照合する表示の一例を説明する図である。
【図１４】本発明に係る照合認証方法のデータ削除処理を示すフローチャートである。
【発明を実施するための形態】
【００３６】
以下、車両及び携帯装置の照合認証方法及び照合認証システムの実施形態について図面を参照して説明する。
【００３７】
本発明に係る照合認証方法及び照合認証システムは、車両と携帯装置に適用され、図中、符号１はバイクや自動車、ＡＴＶ（バギー車）、ＵＶ（ユーティリティ・ビークル）、電動アシスト車等の車両、３はスマートフォン、タブレットコンピューター等の携帯装置をそれぞれ示す。
【００３８】
車両１は、図１等に示されているように、例えばバイク型の車体１０と、車体１０に設けられたインストルメント装置２と、車体１０に設けられ、インストルメント装置２と電気的に接続された電源モジュール９と、車体１０に取り付けられ、インストルメント装置２に電気的に接続された実体押しボタン８とを有する。
【００３９】
電源モジュール９は、例えば図２、図３に示されているように、電源スイッチ９１とバッテリー９２を有する。電源スイッチ９１は、車両１のメインスイッチとして用いられ、キー穴９１０とキー穴９１０に回動可能に差し込むキー９１１とを有する。電源スイッチ９１は、例えばライダー等のユーザーによって、キー９１１をキー穴９１０に差し込んで回動操作すると、図２の上半部に示されているように、時計回りにオン（ＯＮ）で示された位置（以下、「オン位置」という）に回動された時、電源スイッチ９１が電気的に導通された状態（以下、「導通状態」という）にされて車両１に電源を供給する。また、例えばライダー等のユーザーによって、キー９１１をキー穴９１０に差し込んで回動操作すると、図２の下半部に示されているように、反時計回りにオフ（ＯＦＦ）で示された位置（以下、「オフ位置」という）に回動された時、電源スイッチ９１が遮断された状態（以下、「遮断状態」という）にされて電源モジュール９からの電源を遮断する。また、電源スイッチ９１は、キー９１１をキー穴９１０に差し込む例を挙げて説明したが、これには限定されない。例えばその他の例としては押圧式スイッチ、チップ応答によるロック設定・解除式キーレススイッチ（図４参照）にしても遮断状態と導通状態とで切り替えるように操作可能である。
【００４０】
インストルメント装置２は、図１、図３、図５〜図８に示されているように、インストルメントホストマシンディスプレイ２２と、インストルメントホストマシンディスプレイ２２に電気的に接続されたインストルメントホストマシン２１と、インストルメントパネルディスプレイ２４と、インストルメントパネルディスプレイ２４に電気的に接続されたインストルメントパネルコントローラー２３とを備えている。
【００４１】
インストルメントホストマシン２１及びインストルメントパネルコントローラー２３は、図３、図６〜図８に示されているように、実体押しボタン８に並列接続されている。実体押しボタン８は、スイッチ素子８０と確認素子８１と増分素子８２と減分素子８３とを有する。スイッチ素子８０と確認素子８１と増分素子８２と減分素子８３とは、インストルメントホストマシン２１に並列接続されていると共に、インストルメントパネルコントローラー２３に並列接続されている。
【００４２】
この例では、スイッチ素子８０と確認素子８１とは、車両１の運転席エリアに設けられている。これによって照合認証の際、操作の利便性の向上を図ることができる。一例としては、スイッチ素子８０と確認素子８１とは、車両１のハンドル又はインストルメントパネルに設けられる。
【００４３】
また、増分素子８２と減分素子８３は、車両１の運転席エリアに一体的に設けられている。なお、増分素子８２と減分素子８３は確認素子８１に隣接して設けられることが好ましい。これによって構成部品を減らすことができ、また、照合認証の際、操作の利便性の向上を図ることができる。一例としては、増分素子８２と減分素子８３は、車両１のハンドル又はインストルメントパネルに設けられる。
【００４４】
インストルメントパネルディスプレイ２４は、図５に示されているように、左側領域と右側領域とに分けられ、概ね運転した距離、バッテリーの電圧、車両のスピード、燃料量等の情報を表示する。
【００４５】
インストルメントホストマシンディスプレイ２２は、インストルメントパネルのセンターに配置されており、ユーザーによってスイッチ素子８０を操作すると無線接続モードに切り替えられるように表示することができる。無線接続モードに切り替えられた場合、インストルメントホストマシン２１が携帯装置３と無線接続することができ、また、インストルメントホストマシンディスプレイ２２に車両のスピード、時刻、天気、デジタルコンパス、電話やメッセージの到着通知、駐車位置の記録等を表示するインテリジェント機能を有する。
【００４６】
また、インストルメントホストマシンディスプレイ２２は、ユーザーによってスイッチ素子８０を操作するとインストルメントパネル表示モードに切り替えられると、インストルメントパネルデータを表示することができる。インストルメントパネル表示モードに切り替えられた場合、ユーザーによって、インストルメントパネルディスプレイ２４に表示された累積運転距離、１回の運転距離、運転可能な燃料の量、前輪又は後輪のタイヤ空気圧、バッテリーの電圧のいずれかの１つのインストルメントパネルデータを表示することができる。例えば、減分素子８３を押し操作すると、累積運転距離、１回の運転距離、運転可能な燃料の量のいずれかの１つのデータを表示することができ、また、累積運転距離或いは１回の運転距離が表示された場合、確認素子８１を押すことによって数値単位（キロメーター／マイル）を変えて表示し、増分素子８２を押し操作すると、タイヤの空気圧又はバッテリーの電圧を変えて表示することができる。
【００４７】
本発明に係る車両と携帯装置に用いられる照合認証システムは、本実施例では、電源スイッチ９１、スイッチ素子８０、確認素子８１、増分素子８２、減分素子８３、インストルメントホストマシンディスプレイ２２、及びインストルメントホストマシン２１を備えている。インストルメントホストマシン２１は、図３に示されているように、プロセスモジュール２１１、無線接続モジュール２１２、及びメモリモジュール２１３を有する。プロセスモジュール２１１は、電源モジュール９、スイッチ素子８０、確認素子８１、増分素子８２、減分素子８３、インストルメントホストマシンディスプレイ２２、無線接続モジュール２１２、及びメモリモジュール２１３に電気的に接続されている。なお、無線接続モジュール２１２は、ブルートゥース（登録商標）モジュール、Ｗｉ−Ｆｉ（登録商標）モジュール、又は近距離通信（near field communication：ＮＦＣ）モジュールである。インストルメントホストマシンディスプレイ２２は液晶ディスプレイである。
【００４８】
携帯装置３は、例えばスマートフォン、ウェアラブル機器又はタブレットコンピューターであり、プロセスユニット３１、アプリケーションソフトウェア（ＡＰＰ）３２１を記憶するメモリユニット３２、無線接続ユニット３３、表示ユニット３４及び入力ユニット３５を備えている。無線接続ユニット３３は、インストルメントホストマシン２１の無線接続モジュール２１２と無線接続される。なお、無線接続ユニット３３は無線接続モジュール２１２と同じ無線接続技術を用いることが好ましい。無線接続ユニット３３は、無線接続モジュール２１２がブルートゥース（登録商標）技術を用いている場合、ブルートゥース（登録商標）技術を用いることが好ましい。
【００４９】
次に上記のように構成された照合認証システムを用いて図面を参照して照合認証方法の一例について説明する。図９は本発明に係る照合認証方法における照合処理を示すフローチャートである。
【００５０】
ステップＳ４１では、例えばユーザーによってキー９１１をキー穴９１０を差し込んで、時計回りにオフ位置（ＯＦＦ）からオン位置（ＯＮ）まで回動操作すると、電源スイッチ９１が導通状態にされ、スイッチ素子８０を操作して無線接続モードを選択する。続いて確認素子８１が予め定められた時間（例えば“５”秒以上）だけ長押すように操作され、確認素子操作信号が生成・送信される。プロセスモジュール２１１によって確認素子操作信号を受信すると、図１１に示されているように、インストルメントホストマシンディスプレイ２２にユーザー選択画面２２１を表示させる。
【００５１】
ステップＳ４２では、ユーザーによってユーザー選択画面２２１においてニューユーザーオプションを選択し、そして確認素子８１を操作すると、確認素子操作信号が生成・送信され、プロセスモジュール２１１によって確認素子操作信号を受信すると、インストルメントホストマシンディスプレイ２２に車両１の車両識別番号（図１２−１、車両識別番号「００３６９Ｄ」）を表示させると共に、無線接続モジュール２１２を介して表示された該車両識別番号を外部にプッシュ（ｐｕｓｈ）させる（即ち、リクエストが送り手側であるインストルメントホストマシン２１側から出力されること）。このように、スイッチ素子８０と確認素子８１の操作を経て重複して確認し、照合認証を行うことができるので、ユーザーの操作ミスを避けることができる。
【００５２】
そして、ステップＳ４３では、ユーザーによって携帯装置３の入力ユニット３５を操作してＡＰＰ３２１を実行して車両識別番号を探し、表示ユニット３４に車両識別番号を表示させる（図１２−２）。本例では、携帯装置３は、例えばスマートフォン、ウェアラブル機器又はタブレットコンピューターであるため、タッチ式表示ユニットに一体化することによって、ユーザーはタッチ式表示ユニットから携帯装置３が表示するコンテンツを閲覧し、携帯装置３の画面をタッチして入力することができる。そして、ユーザーはＡＰＰ３２１を介して後続の照合を行うために無線接続インターフェース３４０をクリックし（図１２−２、ワイヤレスコネクト）、プロセスモジュール２１１によってインストルメントホストマシンディスプレイ２２と表示ユニット３４とにランダムに生成された照合番号を表示させる。なお、該照合番号は、図１３に示されているように、「０２９９２０」である。
【００５３】
ステップＳ４４では、ユーザーによって予め定められた時間（例えば“３０”秒）で携帯装置３とインストルメントホストマシン２１とに照合処理が行われ、確認素子８１を操作してインストルメントホストマシンディスプレイ２２にて該照合番号を表示して確認する。そして携帯装置３で照合インターフェース３４１をクリックして照合番号を確認する。つまり、インストルメントホストマシン２１と携帯装置３とにおいて照合処理を操作実行し、プロセスモジュール２１１によってインストルメントホストマシン２１と携帯装置３とが照合認証され、車両１と携帯装置３の照合認証が終了する。
【００５４】
このように、車両１で確認素子８１を操作してインストルメントホストマシンディスプレイ２２にて照合番号を確認し、また携帯装置３で照合インターフェース３４１をクリックして照合番号を確認することによって、重複して確認しながら照合認証を実行することができる。従って、車両の所有者でないユーザーが照合認証を行うことを防止することができる。
【００５５】
なお、プロセスモジュール２１１によって携帯装置３の無線識別番号をメモリモジュール２１３に記憶することによって車両１と携帯装置３の照合認証を実行する。一つの例としては、メモリモジュール２１３は、携帯装置３の無線識別番号「Ｂｏｍｂ」を記憶し、該無線識別番号「Ｂｏｍｂ」とは照合認証が成功したユーザーを指し示す。図１１のように表わさたユーザー選択画面２２１に表示された前のユーザー「Ｂｏｍｂ」である。なお、無線識別番号は、Ｗｉ−Ｆｉ、ＮＦＣ、ブルートゥース（登録商標）技術に基づく無線識別番号である。
【００５６】
次に、本発明に係る方法において照合認証が成功した携帯装置３と車両１のインストルメントホストマシン２１とが無線接続処理について図面を参照して説明する。
【００５７】
ステップＳ５１では、図１０、図１１に示されているように、ユーザー９１によってキー９１１がキー穴９１０に差し込まれて、時計回りにオフ位置（ＯＦＦ）からオン位置（ＯＮ）まで、電源スイッチ９１を遮断状態から導通状態にするように回動操作する。また、スイッチ素子８０を操作して無線接続モードを選択する。続いて確認素子８１が予め定められた時間（例えば“５”秒以上）だけ長押すように操作され、確認素子操作信号が生成・送信される。プロセスモジュール２１１によって確認素子操作信号を受信すると、インストルメントホストマシンディスプレイ２２にユーザー選択画面２２１を表示させる。ここで、無線識別番号“Ｂｏｍｂ”の携帯装置３はすでに照合認証を行って成功したので、ユーザー選択画面２２１にすでに照合認証を行って成功した携帯装置３の無線識別番号“Ｂｏｍｂ”を表示する。
【００５８】
ステップＳ５２では、無線識別番号“Ｂｏｍｂ”の携帯装置３のユーザーによってインストルメントホストマシン２１のユーザー選択画面２２１に表示された無線識別番号“Ｂｏｍｂ”を選ぶと共に確認素子８１を操作すると、プロセスモジュール２１１によって無線識別番号“Ｂｏｍｂ”に属する携帯装置３が無線接続を介してインストルメントホストマシン２１のインテリジェント機能を作動させて利用することができる。
【００５９】
このように、電源スイッチ９１が遮断状態から導通状態に切り替えられた場合、車両１の近くに１つ以上のすでに照合認証を行って成功した携帯装置３（図１１、“Ｂｏｍｂ”、“Ｅｍｉｌｙ”等）があれば、ユーザーはインストルメントホストマシン２１のユーザー選択画面２２１に無線接続しようとする無線識別番号のいずれか一つを選び、そして確認素子８１を操作すると、選ばれた無線識別番号の属するユーザーの携帯装置３だけが許可され、無線接続を介してインストルメントホストマシン２１のインテリジェント機能を作動させて利用することができる。なお、インテリジェント機能は例えば、車両のスピード、時間、天気、デジタルコンパス、電話やメッセージの到着通知、駐車位置の記録等である。
【００６０】
また、本例では、照合認証を行って終了した順番に基づいて無線接続を自動的にすることができる。例えば図１１における無線識別番号“Ｂｏｍｂ”が１番目、無線識別番号“Ｅｍｉｌｙ”が２番目とする。ユーザーによって電源スイッチ９１を遮断状態から導通状態にするように回動操作し、車両１が無線接続モードに切り替えられると、照合認証を行って終了した順番に基づいて無線接続を行う。これによって無線接続が成功した無線識別番号に属する携帯装置３を用いて無線接続を介してインストルメントホストマシン２１のインテリジェント機能を作動させて利用することができる。ここでは、実体押しボタン８の確認素子８１によって無線接続しようとする無線識別番号を選択する操作をしないとする。
【００６１】
次に、図２、図３、及び図１４を参照して、本発明に係る車両と携帯装置の照合認証方法におけるデータ削除処理の一例について図面を参照して説明する。図１４は、本発明に係る照合認証方法のデータ削除処理を示すフローチャートである。
【００６２】
ステップＳ６１では、電源スイッチ９１が遮断状態の場合、ユーザーによって増分素子８２と減分素子８３とのいずれか１つ及び確認素子８１を操作し、電源スイッチ９１を遮断状態から導通状態に切り替えられるように操作する。
【００６３】
ステップＳ６２では、インストルメントホストマシンディスプレイ２２に照合認証データを削除するかどうかを表示する。
【００６４】
ステップＳ６３では、照合認証データを削除する場合、ユーザーによって確認素子８１を操作して終了した照合認証データを削除する。これによって、メモリモジュール２１３に記憶された無線識別番号を全て削除することができる。例えば、車両が売却された場合、データ削除処理を経て元のユーザーによる照合認証データを該車両から削除し、ニューユーザーによって新たに照合・認証することができる。
【００６５】
また、データ削除処理では、ユーザーによって車両１の確認素子８１を操作して前の照合認証データを削除することができるが、これに限らない。例えば携帯装置３とインストルメントホストマシン２１とが無線接続された場合、携帯装置３によってＡＰＰ３２１を用いて行うこともできる。例えば、ＡＰＰ３２１の工場出荷設定値リセットインターフェース（Ｆａｃｔｏｒｙ  Ｒｅｓｅｔ）をクリックし、照合認証データを削除するかどうかを表示し、そして確認素子８１を操作してメモリモジュール２１３に記憶された照合認証を行って完成した照合認証データである無線識別番号を全て削除する。
【００６６】
以上により、本発明は、少なくとも以下の効果を奏することができる。
【００６７】
車両１の電源スイッチ９１が導通状態にされ、且つ確認素子８１が操作された場合だけ、照合認証を行うことを許可することができる。これによって、車両１の所有者でないユーザーによる照合認証を行うことを避けることができる。また、車両１と携帯装置３との照合認証が完成終了した時、携帯装置３の所有者が無線接続を介してインストルメントホストマシン２１のインテリジェント機能を作動させることができる。
【００６８】
また、スイッチ素子８０と確認素子８１の操作を経て重複して確認することによって照合認証を行うことができる。これによって、ユーザーの操作ミスを減らすことができる。
【００６９】
また、予め定められた時間例えば“５”秒内で確認素子８１を操作することを以って照合番号を確認すると共に、携帯装置３が照合インターフェース３４１をクリックして照合番号を確認することによって、照合番号を重複して確認することができる。これによって、車両の所有者でないユーザーによる照合認証を行うことを避けることができる。
【００７０】
また、電源スイッチ９１が遮断状態から導通状態に切り替えられ、車両１の近くで照合認証が終了した１つ以上の携帯装置３がある場合、ユーザーによってユーザー選択画面にて照合認証が終了した無線識別番号をクリックして選択し、確認素子８１を操作すると、ユーザーの携帯装置３だけが無線接続を介してインストルメントホストマシン２１のインテリジェント機能を利用することができる。
【００７１】
また、例えば車両が売却された場合、データ削除処理を経て元のユーザーによる照合認証データを該車両から削除することができる。これによって、ニューユーザーによって新たに照合・認証することができる。
【００７２】
また、車両１の電源スイッチ９１が遮断状態から導通状態に切り替えられ、車両１の近くで照合認証が終了した１つ以上の携帯装置３がある場合、インストルメントホストマシン２１は携帯装置３の照合認証が終了する順番に基づいて無線接続を自動的に実行することができる。これによって、無線接続が成功した無線識別番号に属する携帯装置３が無線接続を介してインストルメントホストマシン２１のインテリジェント機能を利用することができる。
【００７３】
また、ユーザーは携帯装置のアプリケーションソフトウェア（ＡＰＰ）３２１を用いて照合認証が終了したデータを全て削除することもできる。
【００７４】
また、電源スイッチ９１が導通状態にされ、確認素子８１が操作された時だけ照合認証を行うことができるので、車両１の所有者でないユーザーによる照合認証を行うことを減らすことができる。また、車両１と携帯装置３との照合認証が終了した時、携帯装置３の所有者が無線接続を介してインストルメントホストマシン２１のインテリジェント機能を作動させることができる。
【００７５】
また、スイッチ素子８０と確認素子８１の操作を経て重複して確認することによって照合認証を行うことができる。これによって、ユーザーの操作ミスを減らすことができる。
【００７６】
また、予め定められた時間例えば“５”秒内で確認素子８１を操作することを以って照合番号を確認すると共に、携帯装置３が照合インターフェース３４１をクリックして照合番号を確認することができる。これによって、照合番号を重複して確認することができるので、車両１の所有者でないユーザーによる照合認証を行うことを減らすことができる。
【００７７】
また、増分素子８２と減分素子８３とは車両１の運転席エリアに一体的に設けられていることによって、構成部品を減らすことができる。また、一体的に設けられた増分素子８２と減分素子８３とは車両１の運転席エリア例えばハンドルに設けられていると、照合認証する時操作利便性の向上を図ることができる。
【００７８】
また、スイッチ素子８０と確認素子８１とは車両の運転席エリア、例えばハンドルに設けられていることによって、照合認証する時操作利便性の向上を図ることができる。
【００７９】
以上、本発明の好ましい実施形態を説明したが、本発明はこれに限定されるものではなく、その要旨を逸脱しない範囲で種々変更可能であることはいうまでもない。
【産業上の利用可能性】
【００８０】
本発明に係る照合認証方法及び照合認証システムは、車両及び携帯装置の間に用いられる照合認証方法及び照合認証システムに有用である。
【符号の説明】
【００８１】
１  車両
１０  車体
２  インストルメント装置
２１  インストルメントホストマシン
２１１  プロセスモジュール
２１２  無線接続モジュール
２１３  メモリモジュール
２２  インストルメントホストマシンディスプレイ
２２１  ユーザー選択画面
２３  インストルメントパネルコントローラー
２４  インストルメントパネルディスプレイ
３  携帯装置
３１  プロセスユニット
３２  メモリユニット
３２１  アプリケーションソフトウェア（ＡＰＰ）
３３  無線接続ユニット
３４  表示ユニット
３４１  照合インターフェース
３５  入力ユニット
８  実体押しボタン
８０  スイッチ素子
８１  確認素子
８２  増分素子
８３  減分素子
９  電源モジュール
９１  電源スイッチ
９１０  キー穴
９１１  キー
９２  バッテリー
【図１】
2018144794.tif 000003
【図２】
2018144794.tif 000004
【図３】
2018144794.tif 000005
【図４】
2018144794.tif 000006
【図５】
2018144794.tif 000007
【図６】
2018144794.tif 000008
【図７】
2018144794.tif 000009
【図８】
2018144794.tif 000010
【図９】
2018144794.tif 000011
【図１０】
2018144794.tif 000012
【図１１】
2018144794.tif 000013
【図１２−１】
2018144794.tif 000014
【図１２−２】
2018144794.tif 000015
【図１３】
2018144794.tif 000016
【図１４】
2018144794.tif 000017